(57)【要約】      （修正有） 【課題】携帯情報端末の充電を行う際にも好ましい放熱効果が得られ、携帯情報端末の保護と使用上の安全性とを達成できる充電機能を具えた放熱装置を提供する。【解決手段】放熱装置は、筐体１と、筐体１に内設する少なくとも１以上の放熱手段２と、を含んでなる。筐体１の一端には少なくとも１以上の弾性部材３を設け、弾性部材３には導入口１２を形成し、かつ導入口１２から一端が突出するように、少なくとも１以上の放熱手段２に電気的に接続する第１接続コネクタ４を設ける。筐体１の他端には少なくとも１以上の第２接続コネクタ５を設けるとともに、一方の側面に少なくとも１以上の排気口１１を形成し、かつ一方の面に開閉器６を設ける。第２コネクタ５は放熱手段２に電気的に接続し、放熱手段２は開閉器６に電気的に接続する。弾性部材３は、ゴム、もしくはスポンジを含む。【選択図】図２
0003201798.tif 000002
【実用新案登録請求の範囲】
【請求項１】
放熱手段と、該放熱手段の一端に設けられ、かつ該放熱手段と電気的に接続する第１コネクタと、該放熱手段の他端に設けられ、かつ該放熱手段と電気的に接続する第１コネクタと、を含んでなることを特徴とする充電機能を具えた放熱装置。
【請求項２】
前記放熱手段が筐体に内設され、該筐体の一方の側か、一端か、もしくは一方の面の任意の位置に排気口が形成され、かつ該筐体の一方の側か、一端か、もしくは一方の面の任意の位置に温度を表示する表示装置が設けられるとともに、該筐体の一端に第１コネクタを設け、該筐体の他端に該第２コネクタを設け、該筐体の該第１コネクタを設ける位置に導入口を形成した少なくとも１以上の弾性部材を設けることを特徴とする請求項１に記載の充電機能を具える放熱装置。
【請求項３】
前記放熱手段に導体を内設し、該導体を介して該放熱手段の必要とする電力を供給し、もしくは電力を供給するための外部装置を接続して該放熱手段に電力を供給し、かつ該第２コネクタをソケットに置き換えることを特徴とする請求項２に記載の充電機能を具える放熱装置。
【考案の詳細な説明】
【技術分野】
【０００１】
この考案は、電子部品から放熱させて冷却するための放熱装置であって、特に充電機能を具え、携帯情報端末などを充電する際に放熱を行う放熱装置に関する。
【背景技術】
【０００２】
携帯電話機、もしくはタブレットタイプのコンピュータの普及によって、これら携帯情報端末を使用する時間が長くなった。しかも、各種ゲームソフト、アプリケーションプログラムの開発と普及によって、携帯情報端末は消費電力が増大し、中央演算処理装置の過熱現象が常に起きている。また、バッテリーの残量が僅かになると、携帯情報端末を継続して操作するために、充電しながら使用することもある。このような場合、バッテリーの負荷が高くなり、携帯情報端末が発熱して、危険度も高くなる。
【０００３】
しかしながら、従来の放熱装置は電子部品から放熱させて冷却する効果を有するものの、特に、充電時のバッテリーの負荷の増大と発熱に着眼して設計されたものは見られない。そこで、充電しながら携帯情報端末を使用する場合を考慮し、特にこのような充電しながらの使用時に好ましい放熱効果の得られる放熱装置の開発が望まれている。
【考案の概要】
【考案が解決しようとする課題】
【０００４】
この考案は、携帯情報端末の充電を行う際にも好ましい放熱効果が得られ、携帯情報端末の保護と使用上の安全性とを達成できる充電機能を具えた放熱装置を提供することを課題とする。
【課題を解決するための手段】
【０００５】
そこで、本考案者は従来の放熱装置に見られる欠点に鑑み鋭意研究を重ねた結果、熱手段と、該放熱手段の一端に設けられ、かつ該放熱手段と電気的に接続する第１コネクタと、該放熱手段の他端に設けられ、かつ該放熱手段と電気的に接続する第１コネクタと、を含んでなる放熱装置によって課題を解決でできる点に着眼し、係る知見に基づいて本考案を完成させた。
【０００６】
以下この考案について説明する。請求項１に記載する放熱装置は  放熱手段と、該放熱手段の一端に設けられ、かつ該放熱手段と電気的に接続する第１コネクタと、該放熱手段の他端に設けられ、かつ該放熱手段と電気的に接続する第１コネクタと、を含んでなる。
【０００７】
請求項２に記載する放熱装置は、請求項１における放熱手段が筐体に内設され、該筐体の一方の側か、一端か、もしくは一方の面の任意の位置に排気口が形成され、かつ該筐体の一方の側か、一端か、もしくは一方の面の任意の位置に温度を表示する表示装置が設けられるとともに、該筐体の一端に第１コネクタを設け、該筐体の他端に該第２コネクタを設け、該筐体の該第１コネクタを設ける位置に導入口を形成した少なくとも１以上の弾性部材を設ける。
【０００８】
請求項３に記載する放熱装置は、請求項２における放熱手段に導体を内設し、該導体を介して該放熱手段の必要とする電力を供給し、もしくは電力を供給するための外部装置を接続して該放熱手段に電力を供給し、かつ該第２コネクタをソケットに置き換える。
【図面の簡単な説明】
【０００９】
【図１】この考案による放熱装置の斜視図である。
【図２】図１に開示する放熱装置の内部構造を示した説明図である。
【図３】図１に開示する放熱装置の分解図である。
【図４】この考案による放熱装置の使用態様を示した説明図である。
【図５】この考案による放熱装置の使用態様を示した他の説明図である。
【図６】他の実施の形態による放熱装置の斜視図である。
【図７】他の実施の形態による放熱装置の使用態様を示した説明図である。
【図８】この考案における放熱手段の他の実施の形態を示した説明図である。
【図９】その他の実施の形態における放熱手段の斜視図である。
【図１０】別の実施の形態における放熱手段の斜視図である。
【考案を実施するための形態】
【００１０】
この考案は、携帯情報端末の充電を行う際にも好ましい放熱効果が得られる放熱装置を提供するものであって、熱手段と、該放熱手段の一端に設けられ、かつ該放熱手段と電気的に接続する第１コネクタと、該放熱手段の他端に設けられ、かつ該放熱手段と電気的に接続する第１コネクタと、を含んでなる。係る放熱装置の特構造と特徴を説明するために、具体的な実施例を挙げ、図面を参照にして以下に詳述する。
【実施例】
【００１１】
図１は、この考案による放熱装置の外観を示した斜視図であって、その内部は、図２の説明図、及び図３の分解図に示すとおりである。この考案による放熱装置は、筐体１と、筐体１に内設する少なくとも１以上の放熱手段２と、を含んでなる。
【００１２】
筐体１の一端には少なくとも１以上の弾性部材３を設け、弾性部材３には導入口１２を形成し、かつ導入口１２から一端が突出するように、少なくとも１以上の放熱手段２に電気的に接続する第１接続コネクタ４を設ける。
【００１３】
筐体１の他端には少なくとも１以上の第２接続コネクタ５を設けるとともに、一方の側面に少なくとも１以上の排気口１１を形成し、かつ一方の面に開閉器６を設ける。第２コネクタ５は放熱手段２に電気的に接続し、放熱手段２は開閉器６に電気的に接続する。
【００１４】
弾性部材３は、ゴム、もしくはスポンジを含む。
【００１５】
図４に、この考案による放熱装置の使用態様を開示する。第１コネクタ４は、好ましくは汎用タイプのものを用いる。また、第１コネクタと携帯情報端末７との接続位置に弾性部材３が密着する。
【００１６】
第２コネクタ５を蓄電体に接続することによって、電気エネルギーが携帯情報端末７に入力する。また、開閉器６によって、放熱手段２の開閉を行い、充電時に携帯情報端末７が発熱して内部の電子部品が損壊したり、変形したりするような状況の発生を防ぐ。
【００１７】
図５に開示するように、携帯情報端末７に第１コネクタ４を接続すると、第１コネクタと携帯情報端末７との接続位置に弾性部材３が密着する。さらに、弾性部材３と、弾性部材３に軽視絵した導入口１２から携帯情報端末７内部の熱が筐体１内にガイドされ、放熱手段２によってガイドされた熱が排気口１１から外部に放出される。よって、効率のよい放熱の効果が得られる。また、放熱手段２によって外部の気体が排気口１１から取り込まれ、導入口１２から携帯情報端末７内にガイドされて携帯情報端末７の冷却効果が得られる。
【００１８】
図６、図７に開示するように、第２コネクタ２をソケット８に置き換えてもよい。ソケット８には、伝送線９の一端を接続し、伝送線９の他端は該蓄電体に接続し、係る構成によって該蓄電体の電気エネルギーを携帯情報端末７に供給して同様に充電の目的を達成し、かつ放熱の効果を達成する。
【００１９】
図８に開示するように、骨津手段２に導体１００を内設し、導体１００を介して電気エネルギーを放熱手段２に伝送し、放熱手段２の必要とする電力を供給し、係る構成を以って、放熱手段２と第１コネクタ４及び第２コネクタ５とに電気的に接続する構成の代替としてもよい。係る構成によっても同様の効果が得られる。もしくは、電力を供給するための外部装置を接続して放熱手段２に電力を供給して放熱の効果を達成するようにしてもよい。
【００２０】
図９に開示するように、第１プラグ４は、Ｍｉｎｉ ＵＳＢ端子であってもよく、もしくはｉＰａｄ（登録商標）端子か、ＭｉｃｒｏＵＳＢ端子を含み、異なる製品の異なるニーズに対応できるものである。
【００２１】
図１０に開示するように、筐体の一方の側面か、一端か、もしくは一方の面の任意の位置に表示装置１０１を設けて温度を表示してもよい。また、筐体１は直方体か、円柱形状か、もしくはその他三角柱形状か、断面が星型を呈する多角柱形状などの異なる形状であってもよい。
【符号の説明】
【００２２】
１筐体
１００導体
１０１表示装置
１１排気口
２放熱手段
３弾性部材
４第１コネクタ
５第２コネクタ
６開閉器
７携帯情報端末
８ソケット
【図１】
0003201798.tif 000003
【図２】
0003201798.tif 000004
【図３】
0003201798.tif 000005
【図４】
0003201798.tif 000006
【図５】
0003201798.tif 000007
【図６】
0003201798.tif 000008
【図７】
0003201798.tif 000009
【図８】
0003201798.tif 000010
【図９】
0003201798.tif 000011
【図１０】
0003201798.tif 000012
【手続補正書】
【提出日】平成27年10月26日(2015.10.26)
【手続補正１】
【補正対象書類名】実用新案登録請求の範囲
【補正対象項目名】請求項１
【補正方法】変更
【補正の内容】
【請求項１】
放熱手段と、該放熱手段の一端に設けられ、かつ該放熱手段と電気的に接続する第１コネクタと、該放熱手段の他端に設けられ、かつ該放熱手段と電気的に接続する第２コネクタと、を含んでなることを特徴とする充電機能を具えた放熱装置。
【手続補正２】
【補正対象書類名】明細書
【補正対象項目名】０００５
【補正方法】変更
【補正の内容】
【０００５】
そこで、本考案者は従来の放熱装置に見られる欠点に鑑み鋭意研究を重ねた結果、熱手段と、該放熱手段の一端に設けられ、かつ該放熱手段と電気的に接続する第１コネクタと、該放熱手段の他端に設けられ、かつ該放熱手段と電気的に接続する第２コネクタと、を含んでなる放熱装置によって課題を解決でできる点に着眼し、係る知見に基づいて本考案を完成させた。
【手続補正３】
【補正対象書類名】明細書
【補正対象項目名】０００６
【補正方法】変更
【補正の内容】
【０００６】
以下この考案について説明する。請求項１に記載する放熱装置は  放熱手段と、該放熱手段の一端に設けられ、かつ該放熱手段と電気的に接続する第１コネクタと、該放熱手段の他端に設けられ、かつ該放熱手段と電気的に接続する第２コネクタと、を含んでなる。
【手続補正４】
【補正対象書類名】明細書
【補正対象項目名】００１０
【補正方法】変更
【補正の内容】
【００１０】
この考案は、携帯情報端末の充電を行う際にも好ましい放熱効果が得られる放熱装置を提供するものであって、熱手段と、該放熱手段の一端に設けられ、かつ該放熱手段と電気的に接続する第１コネクタと、該放熱手段の他端に設けられ、かつ該放熱手段と電気的に接続する第２コネクタと、を含んでなる。係る放熱装置の特構造と特徴を説明するために、具体的な実施例を挙げ、図面を参照にして以下に詳述する。
【手続補正５】
【補正対象書類名】明細書
【補正対象項目名】００１２
【補正方法】変更
【補正の内容】
【００１２】
筐体１の一端には少なくとも１以上の弾性部材３を設け、弾性部材３には導入口１２を形成し、かつ導入口１２から一端が突出するように、少なくとも１以上の放熱手段２に電気的に接続する第１コネクタ４を設ける。
【手続補正６】
【補正対象書類名】明細書
【補正対象項目名】００１３
【補正方法】変更
【補正の内容】
【００１３】
筐体１の他端には少なくとも１以上の第２コネクタ５を設けるとともに、一方の側面に少なくとも１以上の排気口１１を形成し、かつ一方の面に開閉器６を設ける。第２コネクタ５は放熱手段２に電気的に接続し、放熱手段２は開閉器６に電気的に接続する。